(57)【要約】  空調管理装置（２）において、データ記憶部（２４）は、Ｗｅｂコンテンツデータ（２４１）と、空調機に関する空調機データ（２４０）を記憶する。Ｗｅｂサーバ部（２５１）は、端末装置からの要求に応答してＷｅｂコンテンツデータ（２４１）を端末通信部（２３）を介して端末装置に送信する。管理画面生成部（２５２）は、Ｗｅｂコンテンツデータ（２４１）に基づく画面データに空調機データ（２４０）を合成することで空調機の運転状態を管理するための管理画面を生成し、表示部（２０）に出力する。
2017199283.tif 000002
【特許請求の範囲】
【請求項１】
空調機の運転状態を管理するための管理画面を表示する表示手段と、
端末装置と通信する端末通信手段と、
Ｗｅｂコンテンツデータと、前記空調機に関する空調機データを記憶する記憶手段と、
前記端末装置からの要求に応答して前記Ｗｅｂコンテンツデータを前記端末通信手段を介して前記端末装置に送信するＷｅｂサーバ手段と、
前記Ｗｅｂコンテンツデータに基づく画面データに前記空調機データを合成することで前記管理画面を生成し、前記表示手段に出力する管理画面生成手段とを備える、空調管理装置。
【請求項２】
前記管理画面生成手段に生成される前記管理画面には、前記端末装置が搭載するＷｅｂブラウザの画面構成における特定の表示フィールドが含まれていない、請求項１に記載の空調管理装置。
【請求項３】
前記管理画面生成手段は、前記Ｗｅｂコンテンツデータに含まれる画像データの解像度を変換して前記管理画面を生成する、請求項１又は２に記載の空調管理装置。
【請求項４】
前記管理画面生成手段は、前記Ｗｅｂコンテンツデータに含まれる特定の画像データのサイズを予め定めた条件に従って拡大して前記管理画面を生成する、請求項１から３の何れか１項に記載の空調管理装置。
【請求項５】
Ｗｅｂコンテンツデータと、空調機に関する空調機データを記憶する記憶手段を備えるコンピュータを、
端末装置からの要求に応答して前記Ｗｅｂコンテンツデータを通信手段を介して端末装置に送信するＷｅｂサーバ手段、
前記Ｗｅｂコンテンツデータに基づく画面データに前記空調機データを合成することで前記空調機の運転状態を管理するための管理画面を生成する管理画面生成手段、として機能させる、プログラム。
【発明の詳細な説明】
【技術分野】
【０００１】
本発明は、空調管理装置及びプログラムに関する。
【背景技術】
【０００２】
ビルに設置された複数の設備の統合的な管理を目的としたビル管理システムは広く知られている。また、一般的なＷｅｂブラウザを搭載した端末装置により、ＬＡＮ（Local Area Network）を介してビル管理システムにアクセスして、空調機等の設備の運転状態の監視や制御を行えるようにした技術（例えば、特許文献１）も知られている。【０００３】
特許文献１に開示される技術では、ビル管理システムの内部バスとＬＡＮとの間に運営管理装置が設けられている。かかる運営管理装置は、ＬＡＮに接続する端末装置からの要求に基づき、ビル管理システムにおける空調機等の運転状態を収集し、ハイパーテキスト形式の画面表示情報に編集して要求元の端末装置に送信する。
【先行技術文献】
【特許文献】
【０００４】
【特許文献１】特開平１０−２０７５２７号公報
【発明の概要】
【発明が解決しようとする課題】
【０００５】
特許文献１のビル管理システムには、中央監視室に駐在するオペレータに空調機等の運転状態を表示し、且つ空調機等の運転を制御するための入力をオペレータから受け付けるためのマンマシン装置が設けられている。しかしながら、このマンマシン装置は、ハイパーテキスト形式での画面表示を採用していないため、画面表示機能に係る設計思想を端末装置と共通化できず、開発やメンテナンス等にかかるコストの削減化を妨げているという課題がある。【０００６】
本発明は、上記課題を解決するためになされたものであり、画面表示機能についての開発コスト等の削減が図れる空調管理装置及びプログラムを提供することを目的とする。
【課題を解決するための手段】
【０００７】
上記目的を達成するため、本発明に係る空調管理装置は、
空調機の運転状態を管理するための管理画面を表示する表示手段と、
端末装置と通信する端末通信手段と、
Ｗｅｂコンテンツデータと、前記空調機に関する空調機データを記憶する記憶手段と、
前記端末装置からの要求に応答して前記Ｗｅｂコンテンツデータを前記端末通信手段を介して前記端末装置に送信するＷｅｂサーバ手段と、
前記Ｗｅｂコンテンツデータに基づく画面データに前記空調機データを合成することで前記管理画面を生成し、前記表示手段に出力する管理画面生成手段とを備える。
【発明の効果】
【０００８】
本発明によれば、空調管理装置は、端末装置に提供するＷｅｂコンテンツデータに基づく画面データに空調機データを合成することで管理画面を表示するため、画面表示機能に係る開発コストの削減が図れる。
【図面の簡単な説明】
【０００９】
【図１】本発明の実施形態に係る空調管理システムの全体構成を示す図である。
【図２】空調管理装置の構成を示すブロック図である。
【図３】監視端末の構成を示すブロック図である。
【図４】監視端末で表示される管理画面の一例を示す図である。
【図５】監視端末で実行される管理画面表示処理の手順を示すフローチャートである。
【図６】空調管理装置で表示される管理画面の一例を示す図である。
【図７】空調管理処理の手順を示すフローチャートである。
【発明を実施するための形態】
【００１０】
以下、本発明の実施形態について図面を参照して詳細に説明する。
【００１１】
図１は、本発明の実施形態に係る空調管理システム１の全体構成を示す図である。空調管理システム１は、例えば、オフィスビル等の建物の空調を管理するためのシステムであり、図１に示すように、空調管理装置２と、複数の空調機３と、複数の監視端末４と、リモートコントローラ５とから構成される。
【００１２】
空調管理装置２と、複数の空調機３の各々と、リモートコントローラ５とは、通信線６を介して相互に通信可能となるように接続されている。また、空調管理装置２と複数の監視端末４の各々とは、通信線７を介して相互に通信可能となるように接続されている。
【００１３】
複数の空調機３は、予め定めた居室空間において異なる位置にそれぞれ設置され、空調管理装置２の制御の下で監視、制御される。空調機３は、空調管理装置２からの制御データを受信すると、かかる制御データに基づいた動作を行う。即ち、空調機３は、受信した制御データの内容に従って、運転の開始／停止、冷房，暖房，除湿，送風等の運転モードの切り替え、設定温度の変更や風量等の変更を行う。以下、複数の空調機３を総称して空調機群８とも呼ぶ。
【００１４】
リモートコントローラ５は、空調機群８が設置される居室空間への出入口付近に設置される。リモートコントローラ５は、ユーザからの入力操作を受け付け、受け付けた入力操作に基づく制御データを空調機群８又はユーザにより指定された１又は複数の空調機３に送信する。このようにしてリモートコントローラ５から送信された制御データを受信した空調機３は、受信した制御データに基づいた運転を行う。その場合、空調機３は、リモートコントローラ５からの制御データに基づいて変更した自機の運転状態に係るデータ（運転状態データ）を空調管理装置２に送信する。
【００１５】
空調管理装置２は、当該建物内の管理室等、関係者以外が立ち入ることのできない場所に設置され、空調機群８を統括的に管理（監視、制御）する。空調管理装置２は、図２に示すように、表示部２０と、操作受付部２１と、空調機通信部２２と、端末通信部２３と、データ記憶部２４と、制御部２５とを備える。
【００１６】
表示部２０は、例えば、ＣＲＴディスプレイ、液晶ディスプレイ、有機ＥＬディスプレイ、プラズマディスプレイ等の表示デバイスで構成される。表示部２０は、制御部２５の制御の下、空調機群８の運転状態を管理するための管理画面を表示する。管理画面には、空調機群８の運転状態を監視するための監視画面、空調機群８を制御するための操作画面等が含まれる。
【００１７】
操作受付部２１は、例えば、キーボード、マウス、キーパッド、タッチパッドやタッチパネル等で構成される。操作受付部２１は、管理者等による操作を受け付け、受け付けた操作に係る信号を制御部２５に送出する。なお、操作受付部２１がタッチパネルである場合には、表示部２０上に設置される。
【００１８】
空調機通信部２２は、専用の通信線である通信線６のインタフェースとして機能する。空調管理装置２は、空調機通信部２２を介して各空調機３とデータの送受信を行う。なお、通信線６は、必ずしも専用の通信線である必要はなく、汎用的な通信線であるＬＡＮやＲＳ−４８５インタフェースなどを用いた構成としてもよい。
【００１９】
端末通信部２３（端末通信手段）は、通信線７のインタフェースとして機能する。空調管理装置２は、端末通信部２３を介して監視端末４とデータの送受信を行う。通信線７は、例えば、有線ＬＡＮや無線ＬＡＮなど、汎用的な通信が可能な通信路である。本実施形態では、空調管理装置２と監視端末４との間の通信プロトコルとして、一般にＷｅｂブラウザで利用されるＨＴＴＰ（Hypertext Transfer Protocol）を採用する。しかし、ＨＴＴＰに限定されず、ＷｅｂＳｏｃｋｅｔなどの他のプロトコルを用いてもよい。
【００２０】
データ記憶部２４（記憶手段）は、フラッシュメモリ等の読み書き可能な不揮発性の半導体メモリやハードディスクドライブ等から構成される。データ記憶部２４は、空調機群８の監視や制御を行うために必要となるデータを記憶する。具体的には、データ記憶部２４は、空調機データ２４０と、Ｗｅｂコンテンツデータ２４１とを記憶する。
【００２１】
空調機データ２４０には、接続情報２４００と、運転状態管理データ２４０１とが含まれる。接続情報２４００は、各空調機３のアドレス、識別番号、操作グループ番号、機種識別情報など、各空調機３と通信するために必要な情報である。運転状態管理データ２４０１は、各空調機３の現在の運転状態（例えば、運転中／停止中、冷房／暖房／送風などの運転モード、設定温度、室内温度、室内湿度など）を管理するためのデータである。運転状態管理データ２４０１は、各空調機３とのデータ送受信により随時更新される。
【００２２】
Ｗｅｂコンテンツデータ２４１は、監視端末４のＷｅｂブラウザ上に表示されるＷｅｂコンテンツを定義するデータである。Ｗｅｂコンテンツデータ２４１には、画面構成ファイル２４１０とプログラム２４１１とが含まれる。
【００２３】
画面構成ファイル２４１０は、ＨＴＭＬ（HyperText Markup Language）等の記述言語で作成されたファイル群である。監視端末４は、空調管理装置２から取得した画面構成ファイル２４１０により、Ｗｅｂブラウザ上に監視画面や操作画面等の管理画面を表示することが可能となる。
【００２４】
プログラム２４１１は、監視端末４によりダウンロードされて実行されるプログラムである。プログラム２４１１を実行することにより、監視端末４は、空調管理装置２との間で各種の通信が可能となり、空調機３に関するデータを取得することが可能となる。プログラム２４１１は、例えば、ＪａｖａＳｃｒｉｐｔ（登録商標）、Ｊａｖａ（登録商標）アプレット、またはＦｌａｓｈ（登録商標）などで記述されている。
【００２５】
なお、上記の他にも、データ記憶部２４は、図示はしないが、空調機３の運転状態を管理するための１又は複数のプログラムを記憶する。
【００２６】
制御部２５は、何れも図示しないが、ＣＰＵ（Central Processing Unit）、ＲＯＭ（Read Only Memory）、ＲＡＭ（Random Access Memory）等を備え、空調管理装置２を統括制御する。制御部２５の詳細な機能については後述する。
【００２７】
図１に戻り、監視端末４（端末装置）は、汎用的なＷｅｂブラウザ機能を搭載したパーソナルコンピュータであり、通信線７を介して空調管理装置２からＷｅｂコンテンツデータ２４１を受信し、Ｗｅｂコンテンツデータ２４１に従って監視画面や操作画面等の管理画面を表示する。例えば、空調管理装置２及び各利用者の監視端末４を構内ＬＡＮ（又は専用のＬＡＮ）を構成する汎用の通信線７に接続し、監視端末４のＷｅｂブラウザに、空調管理装置２内のＷｅｂコンテンツデータ２４１のＵＲＬ（Uniform Resource Locator）を入力することで、監視端末４に管理画面を表示することができる。以下、監視端末４の構成について詳細に説明する。
【００２８】
図３に示すように、監視端末４は、表示部４０と、操作受付部４１と、通信部４２と、データ記憶部４３と、制御部４４とを備える。
【００２９】
表示部４０は、ＣＲＴディスプレイ、液晶ディスプレイ、有機ＥＬディスプレイ、プラズマディスプレイ等の表示デバイスで構成され、各種の情報を表示する。例えば、表示部４０は、制御部４４の制御の下、空調管理装置２から取得したＷｅｂコンテンツデータ２４１に基づいて、Ｗｅｂブラウザ上に空調機群８の管理画面を表示する。
【００３０】
操作受付部４１は、例えば、キーボード、マウス、キーパッド、タッチパッドやタッチパネル等で構成される。ユーザが、操作受付部４１から所望の操作を行うと、その操作に係る信号が制御部４４に送出される。これにより、ユーザは、例えば、管理画面の切り替えや、空調機群８あるいは特定の空調機３に所望の動作を実行させることができる。なお、操作受付部４１がタッチパネルである場合には、表示部４０上に設置される。
【００３１】
通信部４２は、通信線７のインタフェースとして機能する。監視端末４は、通信部４２を介して空調管理装置２とデータの送受信を行う。
【００３２】
データ記憶部４３は、フラッシュメモリ等の読み書き可能な不揮発性の半導体メモリやハードディスクドライブ等から構成される。データ記憶部４３は、制御部４４が管理画面の表示処理を行うために必要となる各種データを記憶する。
【００３３】
制御部４４は、何れも図示しないが、ＣＰＵ、ＲＯＭ、ＲＡＭ等を備え、監視端末４を統括制御する。特徴的には、制御部４４は、空調管理装置２からＷｅｂコンテンツデータ２４１を取得し、取得したＷｅｂコンテンツデータ２４１に基づいて、表示部４０に管理画面を表示するための処理を行う。制御部４４は、機能的には、画面構成ファイル解析部４４０と、プログラム実行部４４１とを備える。
【００３４】
画面構成ファイル解析部４４０は、空調管理装置２から取得したＷｅｂコンテンツデータ２４１内の画面構成ファイル２４１０を読み込み、管理画面のベース画面となる画面データを生成する。
【００３５】
プログラム実行部４４１は、Ｗｅｂコンテンツデータ２４１のプログラム２４１１を実行することにより、通信部４２を介して空調管理装置２と通信を行い、必要なデータを取得することで管理画面を生成し、表示部４０に表示する。プログラム実行部４４１には、データ通信管理部４４１０と、管理画面生成部４４１１とが含まれる。
【００３６】
データ通信管理部４４１０は、定期的に又はユーザからの指示があった際に、プログラム２４１１を実行することにより空調管理装置２と通信を行い、空調機データ２４０等のデータを取得する。
【００３７】
管理画面生成部４４１１は、画面構成ファイル解析部４４０が生成した画面データにデータ通信管理部４４１０が取得したデータを合成した管理画面を生成し、表示部４０に表示する。例えば、管理画面生成部４４１１は、画面構成ファイル解析部４４０が生成した画面データに、データ通信管理部４４１０が取得したデータが示す各種の情報を埋め込む等して管理画面を生成する。監視端末４で表示される管理画面の一例を図４に示す。
【００３８】
図５は、監視端末４で実行される管理画面表示処理の手順を示すフローチャートである。管理画面表示処理は、ユーザにより監視端末４のＷｅｂブラウザに、空調管理装置２内のＷｅｂコンテンツデータ２４１のＵＲＬが入力されることで開始される。
【００３９】
制御部４４は、空調管理装置２からＷｅｂコンテンツデータ２４１を取得する（ステップＳ１０１）。そして、制御部４４は、取得したＷｅｂコンテンツデータ２４１内の画面構成ファイル２４１０を解析して管理画面のベース画面となる画面データを生成する（ステップＳ１０２）。
【００４０】
続いて、制御部４４は、取得したＷｅｂコンテンツデータ２４１に含まれるプログラム２４１１を実行する（ステップＳ１０３）。そして、制御部４４は、プログラム２４１１に記述された内容に従って、空調管理装置２と通信を行い、空調機３に関するデータ（例えば、運転状態管理データ２４０１）を取得する（ステップＳ１０４）。
【００４１】
続いて、制御部４４は、ステップＳ１０２で生成した画面データに、ステップＳ１０４で取得したデータが示す各種の情報を埋め込んだ管理画面を生成し、表示部４０に表示する（ステップＳ１０５）。以上で管理画面表示処理は終了する。
【００４２】
図２に戻り、空調管理装置２の制御部２５は、機能的には、空調機管理部２５０と、Ｗｅｂサーバ部２５１と、管理画面生成部２５２とを備える。これらの各機能部は、ＣＰＵ等が、データ記憶部２４に記憶されている、空調機３の運転状態を管理するための図示しない１又は複数のプログラムを実行することで実現される。
【００４３】
空調機管理部２５０は、従来のこの種の空調管理装置と同様の処理、例えば、管理画面を介してユーザから受け付けた操作指示に従って空調機３の運転動作を制御する処理を実行する。また、空調機管理部２５０は、空調機３から送信された上述の運転状態データを空調機通信部２２を介して受信すると、受信した運転状態データに基づいて、空調機データ２４０の運転状態管理データ２４０１の内容を更新する。
【００４４】
Ｗｅｂサーバ部２５１は、監視端末４からの要求に応答して、Ｗｅｂコンテンツデータ２４１や運転状態管理データ２４０１等を要求元の監視端末４に送信する。
【００４５】
管理画面生成部２５２は、空調機群８の運転状態を管理するための管理画面を生成し、表示部２０に表示する。上述したように、管理画面には、空調機群８の運転状態を監視するための監視画面、空調機群８又は特定の空調機３を制御するための操作画面等が含まれる。また、管理画面生成部２５２は、ユーザの操作に応じて管理画面の切り替えや更新を行ったり、運転状態管理データ２４０１の内容の更新に伴い管理画面の更新を行う。
【００４６】
管理画面生成部２５２は、データ記憶部２４に記憶されるＷｅｂコンテンツデータ２４１と空調機データ２４０に基づいて管理画面の生成及び表示を行う。より詳細には、管理画面生成部２５２は、Ｗｅｂコンテンツデータ２４１内の画面構成ファイル２４１０を読み込み、管理画面のベース画面となる画面データを生成する。そして、管理画面生成部２５２は、生成した画面データに空調機データ２４０から取得したデータを合成することで、即ち、取得したデータが示す各種の情報を埋め込む等することで管理画面を生成する。このため、管理画面生成部２５２は、監視端末４に搭載される一般的なＷｅｂブラウザと類似の機能を備える。ただし、管理画面生成部２５２の機能には、以下のような特徴が備わっている。
【００４７】
（１）一般的なＷｅｂブラウザの画面構成における画面枠や特定の表示フィールドの除去
一般的なＷｅｂブラウザにおいては、図４に示すように、Ｗｅｂページ（ここでは、管理画面）を表示する本体フィールドの他、画面枠や、タイトルを表示するフィールド、「戻る」ボタン等のツールを表示するフィールド（ツールフィールド）、ＵＲＬを入力するためのフィールド（ＵＲＬフィールド）、読み込みの状態等を表示する状態フィールド等の各種のフィールドが表示される。管理画面生成部２５２は、上記の各フィールドの内、本体フィールドを除く、少なくともＵＲＬフィールドを含む複数のフィールドを非表示とする。
【００４８】
（２）解像度の変換
管理画面生成部２５２は、Ｗｅｂコンテンツデータ２４１に含まれる画面構成ファイル２４１０で定義される画像データの解像度を表示部２０の仕様に基づいて適切な値に変換して管理画面を生成する。表示部２０の仕様に関するデータ（モニタ仕様データ）は、予めデータ記憶部２４に記憶されているものとする。なお、モニタ仕様データは、ユーザの操作受付部２１を介した操作により適宜変更可能である。
【００４９】
上記のようにして管理画面生成部２５２に生成され、表示部２０に表示される管理画面の一例を図６に示す。
【００５０】
図７は、空調管理装置２で実行される空調管理処理の手順を示すフローチャートである。空調管理処理は、空調管理装置２の電源がＯＮになると開始される。
【００５１】
先ず、管理画面生成部２５２は、データ記憶部２４に記憶されているＷｅｂコンテンツデータ２４１と空調機データ２４０に基づいて管理画面のトップ画面（メイン画面）を生成し、表示部２０に表示する（ステップＳ２０１）。
【００５２】
表示された管理画面を介してユーザにより操作が行われると（ステップＳ２０２；ＹＥＳ）、管理画面生成部２５２は、管理画面の切り替え又は更新を行う（ステップＳ２０３）。一方、ユーザによる操作が行われていない場合（ステップＳ２０２；ＮＯ）、空調管理装置２の処理は、ステップＳ２０６へ移行する。
【００５３】
ユーザの操作が空調機３の制御指示に関するものである場合（ステップＳ２０４；ＹＥＳ）、空調機管理部２５０は、かかる制御指示に応じた制御データを生成し、空調機群８又は指定された空調機３に送信する（ステップＳ２０５）。一方、ユーザの操作が空調機３の制御指示に関するものでない場合（ステップＳ２０４；ＮＯ）、空調管理装置２の処理は、ステップＳ２０６へ移行する。
【００５４】
ステップＳ２０６では、データ記憶部２４に記憶されている運転状態管理データ２４０１の内容が更新されたか否かが判別される。更新されている場合（ステップＳ２０６；ＹＥＳ）、管理画面生成部２５２は、更新された内容に基づいて管理画面の更新を行う（ステップＳ２０７）。一方、更新されていない場合（ステップＳ２０６；ＮＯ）、空調管理装置２の処理は、ステップＳ２０８へ移行する。
【００５５】
ステップＳ２０８では、監視端末４からデータの要求があったか否かが判別される。要求があった場合（ステップＳ２０８；ＹＥＳ）、Ｗｅｂサーバ部２５１は、要求元の監視端末４に、Ｗｅｂコンテンツデータ２４１又は空調機データ２４０を送信する（ステップＳ２０９）。ステップＳ２０９の後、又は、監視端末４からの要求が無かった場合（ステップＳ２０８；ＮＯ）、空調管理装置２の処理は、ステップＳ２０２へ戻る。
【００５６】
以上説明したように、本発明の実施形態に係る空調管理システム１では、空調管理装置２は、Ｗｅｂブラウザと類似の機能を有する管理画面生成部２５２を備える。そして、管理画面生成部２５２は、監視端末４のＷｅｂブラウザ上に表示されるＷｅｂコンテンツを定義したＷｅｂコンテンツデータ２４１に基づいて管理画面を生成し、表示部２０に表示する。これにより、空調管理装置２と監視端末４とで、管理画面の表示機能に係る設計思想を共通化できるため、開発及びメンテナンス（変更、修正等）の工数を低減でき、開発コスト及びメンテナンスコストの削減が図れる。
【００５７】
また、管理画面生成部２５２は、Ｗｅｂコンテンツデータ２４１に基づいて管理画面を生成するので、空調管理装置２は、専用の画面データを別途保持する必要がなく、メモリ容量の削減が図れ、製造コストの削減が図れる。
【００５８】
また、管理画面生成部２５２は、ＵＲＬフィールド等の一般的なＷｅｂブラウザの画面構成における画面枠や特定の表示フィールドを除去した管理画面を生成して表示するため、空調管理装置２を操作する管理者等に違和感を与えることがない。したがって、従来と遜色がない視認性及び操作性を提供できる。
【００５９】
また、管理画面生成部２５２は、Ｗｅｂコンテンツデータ２４１に含まれる画面構成ファイル２４１０で定義される画像データの解像度を表示部２０の仕様に基づいて適切な値に変換して管理画面を生成する。このため、空調管理装置２と監視端末４の各々に合わせた表示のチューニング等が不要となり、開発コスト、製造コスト及びメンテナンスコストの削減化がより図れる。
【００６０】
なお、本発明は、上記の実施形態に限定されず、本発明の要旨を逸脱しない範囲での種々の変更は勿論可能である。
【００６１】
例えば、管理画面生成部２５２は、管理画面を構成する操作対象部品（アイコン、スクロールボタン、スクロールバー等）については、予め定めた条件に従って、拡大したり、あるいは、タッチ操作の検出範囲（許容範囲）を拡大してもよい。このようにすると、管理者等の視認性及び操作性のさらなる向上が図れる。
【００６２】
また、管理画面において、ＵＲＬフィールド等の一般的なＷｅｂブラウザの画面構成における画面枠や特定の表示フィールドを除去するか否かの設定を管理者等が操作受付部２１を介して行えるようにしてもよい。この場合、管理画面生成部２５２は、かかる設定に応じて画面枠や特定の表示フィールドを除去するか否かを決定する。
【００６３】
上記の実施形態では、ＣＰＵ等によってデータ記憶部２４に記憶されている、空調機３の運転状態を管理するための１又は複数のプログラムが実行されることで、空調管理装置２の各機能部（図２参照）が実現された。しかし、空調管理装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００６４】
また、上記実施形態において、空調管理装置２によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記実施形態における空調管理装置２として機能させることも可能である。
【００６５】
また、上記のプログラムをインターネット等の通信ネットワーク上のサーバ装置が有するディスク装置等に格納しておき、例えば、搬送波に重畳させて、コンピュータにダウンロード等するようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【００６６】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロード等してもよい。
【００６７】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００６８】
本発明は、オフィスビル等に設置される空調管理システムに好適に採用され得る。
【符号の説明】
【００６９】
１  空調管理システム、２  空調管理装置、３  空調機、４  監視端末、５  リモートコントローラ、６，７  通信線、８  空調機群、２０，４０  表示部、２１，４１  操作受付部、２２  空調機通信部、２３  端末通信部、２４，４３  データ記憶部、２５，４４  制御部、４２  通信部、２４０  空調機データ、２４１  Ｗｅｂコンテンツデータ、２５０  空調機管理部、２５１  Ｗｅｂサーバ部、２５２，４４１１  管理画面生成部、４４０  画面構成ファイル解析部、４４１  プログラム実行部、２４００  接続情報、２４０１  運転状態管理データ、２４１０  画面構成ファイル、２４１１  プログラム、４４１０  データ通信管理部
【図１】
2017199283.tif 000003
【図２】
2017199283.tif 000004
【図３】
2017199283.tif 000005
【図４】
2017199283.tif 000006
【図５】
2017199283.tif 000007
【図６】
2017199283.tif 000008
【図７】
2017199283.tif 000009
【手続補正書】
【提出日】平成30年4月25日(2018.4.25)
【手続補正１】
【補正対象書類名】明細書
【補正対象項目名】０００７
【補正方法】変更
【補正の内容】
【０００７】
上記目的を達成するため、本発明に係る空調管理装置は、
空調機の運転状態を管理するための管理画面を表示する表示手段と、
端末装置と通信する端末通信手段と、
Ｗｅｂコンテンツデータと、前記空調機に関する空調機データを記憶する記憶手段と、
前記端末装置からの要求に応答して前記Ｗｅｂコンテンツデータを前記端末通信手段を介して前記端末装置に送信するＷｅｂサーバ手段と、
前記Ｗｅｂコンテンツデータに基づく画面データに前記空調機データを合成することで前記管理画面を生成し、前記表示手段に出力する管理画面生成手段とを備え、
前記管理画面生成手段に生成される前記管理画面には、前記端末装置が搭載するＷｅｂブラウザの画面構成における特定の表示フィールドが含まれていない。
【手続補正２】
【補正対象書類名】特許請求の範囲
【補正対象項目名】全文
【補正方法】変更
【補正の内容】
【特許請求の範囲】
【請求項１】
空調機の運転状態を管理するための管理画面を表示する表示手段と、
端末装置と通信する端末通信手段と、
Ｗｅｂコンテンツデータと、前記空調機に関する空調機データを記憶する記憶手段と、
前記端末装置からの要求に応答して前記Ｗｅｂコンテンツデータを前記端末通信手段を介して前記端末装置に送信するＷｅｂサーバ手段と、
前記Ｗｅｂコンテンツデータに基づく画面データに前記空調機データを合成することで前記管理画面を生成し、前記表示手段に出力する管理画面生成手段とを備え、
前記管理画面生成手段に生成される前記管理画面には、前記端末装置が搭載するＷｅｂブラウザの画面構成における特定の表示フィールドが含まれていない、空調管理装置。
【請求項２】
前記管理画面生成手段は、前記Ｗｅｂコンテンツデータに含まれる画像データの解像度を変換して前記管理画面を生成する、請求項１に記載の空調管理装置。
【請求項３】
前記管理画面生成手段は、前記Ｗｅｂコンテンツデータに含まれる特定の画像データのサイズを予め定めた条件に従って拡大して前記管理画面を生成する、請求項１又は２に記載の空調管理装置。
【請求項４】
Ｗｅｂコンテンツデータと、空調機に関する空調機データを記憶する記憶手段を備えるコンピュータを、
端末装置からの要求に応答して前記Ｗｅｂコンテンツデータを通信手段を介して端末装置に送信するＷｅｂサーバ手段、
前記Ｗｅｂコンテンツデータに基づく画面データに前記空調機データを合成することで前記空調機の運転状態を管理するための管理画面を生成する管理画面生成手段、として機能させ、
前記管理画面生成手段に生成される前記管理画面には、前記端末装置が搭載するＷｅｂブラウザの画面構成における特定の表示フィールドが含まれていない、プログラム。
【国際調査報告】
2017199283.tif 000010
2017199283.tif 000011